(57)【要約】      （修正有）【課題】フォーカスの調整を容易にする表示装置、表示制御方法及び撮像装置を提供する。【解決手段】表示装置２は、ユーザにより入力された、撮像装置における撮影時に使用するフォーカス位置の目標である目標フォーカス位置を記憶部２４に記憶させる記憶制御部２５４と、撮影に使用されている使用フォーカス位置を示す使用フォーカスデータを取得するフォーカスデータ取得部２５３と、使用フォーカス位置を用いて被写体を撮影することにより生成された画像データを取得する画像データ取得部２５２と、画像データに基づく表示画像に重畳して、目標フォーカス位置及び使用フォーカス位置を表示部２３に表示させる画像表示部２５５と、を有する。【選択図】図４
2016206250.tif 000002
【特許請求の範囲】
【請求項１】
ユーザにより入力された、撮像装置における撮影時に使用するフォーカス位置の目標である目標フォーカス位置を記憶手段に記憶させる記憶制御手段と、
前記撮像装置における撮影に使用されている使用フォーカス位置を示す使用フォーカスデータを取得する使用フォーカスデータ取得手段と、
前記撮像装置が前記使用フォーカス位置を用いて被写体を撮影することにより生成された画像データを取得する画像データ取得手段と、
画像データに基づく表示画像に重畳して、前記目標フォーカス位置及び前記使用フォーカス位置を表示手段に表示させる画像表示手段と、
を有することを特徴とする表示装置。
【請求項２】
前記記憶制御手段は、前記撮像装置における画像の撮影において使用する順番に関連付けて複数の前記目標フォーカス位置を前記記憶手段に記憶させ、
前記画像表示手段は、前記複数の目標フォーカス位置を前記順番に関連付けて前記表示手段に表示させることを特徴とする、
請求項１に記載の表示装置。
【請求項３】
前記記憶制御手段は、基準時刻からの経過時間に関連付けて複数の前記目標フォーカス位置を前記記憶手段に記憶させ、
前記画像表示手段は、前記表示手段への前記目標フォーカス位置の表示を開始してからの経過時間が、前記記憶手段が記憶している前記経過時間に一致している場合に、当該経過時間に関連付けられた前記目標フォーカス位置を前記表示手段に表示させることを特徴とする、
請求項１又は２に記載の表示装置。
【請求項４】
前記画像表示手段は、前記使用フォーカス位置が、前記目標フォーカス位置に対する所定の範囲に含まれている場合に、前記表示画像を拡大して前記表示手段に表示させることを特徴とする、
請求項１から３のいずれか１項に記載の表示装置。
【請求項５】
前記記憶制御手段は、前記目標フォーカス位置に関連付けて、画像において拡大表示する領域を前記記憶手段に記憶させ、
前記画像表示手段は、前記目標フォーカス位置に関連付けられた前記領域の前記表示画像を拡大して表示させることを特徴とする、
請求項４に記載の表示装置。
【請求項６】
前記記憶制御手段は、基準時刻からの経過時間に関連付けて、画像において拡大表示する領域を前記記憶手段に記憶させ、
前記画像表示手段は、前記使用フォーカス位置が、前記目標フォーカス位置に対する所定の範囲に含まれる状態になった時点における前記経過時間に対応する前記領域の前記表示画像を拡大して表示させることを特徴とする、
請求項４又は５に記載の表示装置。
【請求項７】
ユーザにより入力される、撮像装置における撮影時に使用するフォーカス位置の目標である目標フォーカス位置を取得するステップと、
取得した前記目標フォーカス位置を記憶手段に記憶させるステップと、
前記撮像装置における撮影に使用されている使用フォーカス位置を示す使用フォーカスデータを取得するステップと、
前記撮像装置が前記使用フォーカス位置を用いて被写体を撮影することにより生成された画像データを取得するステップと、
画像データに基づく表示画像に重畳して、前記目標フォーカス位置及び前記使用フォーカス位置を表示手段に表示させるステップと、
を有することを特徴とする表示制御方法。
【請求項８】
前記記憶させるステップにおいて、前記撮像装置における画像の撮影において使用する順番に関連付けて複数の前記目標フォーカス位置を前記記憶手段に記憶させ、
前記表示させるステップにおいて、前記複数の目標フォーカス位置を前記順番に関連付けて前記表示手段に表示させることを特徴とする、
請求項７に記載の表示制御方法。
【請求項９】
前記記憶させるステップにおいて、基準時刻からの経過時間と前記目標フォーカス位置とを関連付けて前記記憶手段に記憶させ、
前記表示させるステップにおいて、画像信号の取得を開始してからの経過時間に基づくタイミングで、前記記憶手段が記憶している前記目標フォーカス位置を前記表示手段に表示させることを特徴とする、
請求項７又は８に記載の表示制御方法。
【請求項１０】
前記表示させるステップにおいて、前記使用フォーカス位置が、前記目標フォーカス位置に対する所定の範囲に含まれている場合に、前記表示画像を拡大して前記表示手段に表示させることを特徴とする、
請求項７から８のいずれか１項に記載の表示制御方法。
【請求項１１】
前記記憶させるステップにおいて、前記目標フォーカス位置に関連付けて、画像において拡大表示する領域を前記記憶手段に記憶させ、
前記表示させるステップにおいて、前記表示手段における前記目標フォーカス位置に関連付けられた前記領域の前記画像を拡大して表示させることを特徴とする、
請求項１０に記載の表示制御方法。
【請求項１２】
前記記憶させるステップにおいて、基準時刻からの経過時間に関連付けて、画像において拡大表示する領域を前記記憶手段に記憶させ、
前記表示させるステップにおいて、前記使用フォーカス位置が、前記目標フォーカス位置に対する所定の範囲に含まれる状態になった時点における前記経過時間に対応する前記領域の前記表示画像を拡大して表示させることを特徴とする、
請求項１０又は１１に記載の表示制御方法。
【請求項１３】
被写体を撮影する撮像装置であって、
ユーザにより入力された、画像の撮影時に使用するフォーカス位置の目標である目標フォーカス位置を記憶手段に記憶させる記憶制御手段と、
撮影に使用されている使用フォーカス位置を示す使用フォーカスデータを取得する使用フォーカスデータ取得手段と、
前記撮像装置が前記使用フォーカス位置を用いて前記被写体を撮影することにより画像データを生成する画像データ生成手段と、
画像データに基づく表示画像に重畳して、前記目標フォーカス位置及び前記使用フォーカス位置を表示手段に表示させる画像表示手段と、
を有することを特徴とする撮像装置。
【発明の詳細な説明】
【技術分野】
【０００１】
本発明は、画像を表示する表示装置、画像の表示制御方法、及び撮像装置に関するものである。
【背景技術】
【０００２】
従来、デジタルカメラ又はデジタルビデオカメラ等の撮像装置を用いて被写体を撮影する際に、フォーカスが合った位置に関する情報をディスプレイに表示する方法が知られている。特許文献１には、被写体の撮影中に被写体までの距離を検出し、撮像装置の光軸方向における被写体の位置とフォーカスが合った位置との関係を示す画像を表示する撮像装置が開示されている。
【先行技術文献】
【特許文献】
【０００３】
【特許文献１】特開２０１０−９３４２２号公報
【発明の概要】
【発明が解決しようとする課題】
【０００４】
映画の撮影のように、高い精度でフォーカスを合わせる必要がある撮影現場では、フォーカスを調整する担当者（以下、「ユーザ」という）が、撮像装置のフォーカスを手動で調整している。従来の技術においては、フォーカスが合った位置が表示されるので、ユーザは、所望の位置にフォーカスが合っているか否かを撮影中に確認し、所望の位置にフォーカスが合っていない場合に、フォーカスを調整することができる。
【０００５】
しかしながら、特許文献１に記載の方法では、撮影している領域内に複数の被写体がある場合、複数の被写体の位置が画面に表示される。したがって、ユーザが、どの被写体にフォーカスを合わせればよいかを瞬時に判断することが難しく、フォーカスの調整に長時間を要したり、間違った被写体にフォーカスを合わせてしまったりする場合が生じるという問題があった。
【０００６】
そこで、本発明は上述した点に鑑みてなされたものであり、フォーカスの調整を容易にすることを目的とする。
【課題を解決するための手段】
【０００７】
上記の課題を解決するために、本発明の表示装置は、ユーザにより入力された、撮像装置における撮影時に使用するフォーカス位置の目標である目標フォーカス位置を記憶手段に記憶させる記憶制御手段と、前記撮像装置における撮影に使用されている使用フォーカス位置を示す使用フォーカスデータを取得する使用フォーカスデータ取得手段と、前記撮像装置が前記使用フォーカス位置を用いて被写体を撮影することにより生成された画像データを取得する画像データ取得手段と、画像データに基づく表示画像に重畳して、前記目標フォーカス位置及び前記使用フォーカス位置を表示手段に表示させる画像表示手段と、を有することを特徴とする。
【発明の効果】
【０００８】
本発明によれば、フォーカスの調整が容易になるという効果を奏する。
【図面の簡単な説明】
【０００９】
【図１】第１の実施形態に係る撮影システムＳの構成を示す図である。
【図２】表示装置２が表示するフォーカス調整用画像を示す図である。
【図３】撮像装置１の構成を示す図である。
【図４】表示装置２の構成を示す図である。
【図５】目標フォーカス位置テーブルを示す図である。
【図６】複数の目標位置画像２０２を表示したフォーカス調整用画像２０１を示す図である。
【図７】複数の目標位置画像２０２を表示したフォーカス調整用画像２０１を示す図である。
【図８】表示装置２における処理の手順を示すフローチャートである。
【図９】第２の実施形態に係る表示装置２が表示する画面の例を示す図である。
【図１０】第２の実施形態に係る目標フォーカス位置テーブルを示す図である。
【図１１】第２の実施形態における処理の手順を示すフローチャートである。
【図１２】第３の実施形態に係る撮像装置１の構成を示す図である。
【発明を実施するための形態】
【００１０】
＜第１の実施形態＞
［撮影システムＳの概要］
図１は、第１の実施形態に係る撮影システムＳの構成を示す図である。撮影システムＳは、例えば、映画の撮影に用いられるシステムである。撮影システムＳは、撮像装置１と、表示装置２と、リモコン３と、を含んで構成されている。
【００１１】
撮像装置１は、被写体を撮影することにより動画又は静止画の画像データを生成するビデオカメラである。撮像装置１は、ケーブルを介してリモコン３と接続されており、ユーザは、撮像装置１又はリモコン３に設けられたフォーカスリングを用いて、フォーカスが合う位置（以下、「フォーカス位置」という）を調整することができる。フォーカス位置は、撮像装置１のレンズとフォーカスが合った被写体との間の距離により表される。
【００１２】
撮像装置１は、画像データを含む画像信号を生成し、生成した画像信号を、伝送路４を介して表示装置２に送信する。伝送路４は、例えばＳＤＩ（Serial Digital Interface）に対応しており、デジタル映像及びデジタル音声を伝送可能な同軸ケーブルにより構成されている。撮像装置１は、被写体の撮影に使用しているフォーカス位置である使用フォーカス位置を示す使用フォーカスデータを、ＳＤＩ対応の画像信号におけるアンシラリデータ領域を用いて表示装置２に送信する。
【００１３】
表示装置２は、例えば液晶ディスプレイ又は有機ＥＬ（Electro Luminescence）ディスプレイである。表示装置２は、撮像装置１から受信した画像信号に含まれている画像データに基づく表示画像を表示する。ユーザは、例えば、リハーサルにおいて被写体までの距離を測定し、測定した距離に基づいて、本番の撮影時に使用するフォーカス位置の目標である目標フォーカス位置を表示装置２に設定することができる。表示装置２は、ユーザが設定した目標フォーカス位置、及び撮像装置１から受信した使用フォーカス位置を示すフォーカス調整用画像を表示する。
【００１４】
図２は、表示装置２が表示するフォーカス調整用画像を示す図である。図２（ａ）に示すように、表示装置２には、被写体Ｈとともに、フォーカス調整用画像２０１が表示されている。フォーカス調整用画像２０１は、０ｍから無限大（∞）までの距離を示す目盛り画像と、目標フォーカス位置を示す目標位置画像２０２（黒色の三角形の画像）と、使用フォーカス位置を示す使用位置画像２０３（白色の三角形の画像）とを含む画像である。
【００１５】
ユーザは、図２（ａ）に示すフォーカス調整用画像２０１を見ながら、リモコン３を操作することにより、撮像装置１のフォーカス位置を調整することができる。ユーザがリモコン３を操作することにより撮像装置１のフォーカス位置が変化すると、撮像装置１から表示装置２に対して、変化後の使用フォーカス位置を示すデータが送信される。表示装置２は、受信したデータが示す使用フォーカス位置に基づいて、使用位置画像２０３の位置を変化させる。具体的には、表示装置２は、図２（ｂ）に示すように、ユーザがフォーカス位置を調整する前の使用フォーカス位置を示す使用位置画像２０３ａから、ユーザがフォーカス位置を調整した後の使用フォーカス位置を示す使用位置画像２０３ｂに表示を切り替える。
【００１６】
ユーザは、図２（ｂ）のように、使用位置画像２０３ｂの位置が目標位置画像２０２の位置とほぼ一致していることを確認することにより、目標とするフォーカス位置に調整できたことを把握することができる。このように、撮影システムＳにおいては、撮像装置１と接続された表示装置２に、目標として設定されたフォーカス位置と、撮像装置１が使用しているフォーカス位置とが表示されるので、ユーザは、撮像装置１で使用するフォーカス位置を所望の位置に容易に調整することができる。
以下、撮像装置１及び表示装置２の構成について、詳細に説明する。
【００１７】
［撮像装置１の構成］
図３は、撮像装置１の構成を示す図である。撮像装置１は、レンズ部１１と、撮像部１２と、リモコンＩＦ（インターフェイス）部１３と、画像信号出力部１４と、表示部１５と、記憶部１６と、制御部１７とを有する。制御部１７は、操作受付部１７１と、フォーカス制御部１７２と、画像処理部１７３と、画像信号生成部１７４とを有する。
【００１８】
レンズ部１１は、レンズと、レンズを光軸方向に移動させる駆動手段とを有する。レンズ部１１は、制御部１７による制御に基づいて駆動手段がレンズの位置を移動させることにより、フォーカス位置を変更することができる。
撮像部１２は、レンズ部１１を介して入射した光に基づいて撮像面に結像された被写体の画像を光電変換することにより、撮像信号を生成する。撮像部１２は、例えば、ＣＣＤ又はＣＭＯＳセンサーである。
【００１９】
リモコンＩＦ部１３は、ケーブルを介してリモコン３と接続されており、リモコン３においてユーザが入力した操作内容を示す操作データを受信する。リモコンＩＦ部１３は、例えば、撮影に用いるフォーカス位置を指定するための操作データをリモコン３から受信し、受信したデータを操作受付部１７１に通知する。
【００２０】
画像信号出力部１４は、撮像部１２が生成した撮像信号に基づく画像データを含む画像信号を表示装置２に対して出力するためのインターフェイスである。画像信号出力部１４は、撮像部１２が撮像信号を生成した時に使用されているフォーカス位置を示す使用フォーカスデータをアンシラリデータ領域に含む、ＳＤＩ対応の画像信号を出力する。また、画像信号出力部１４は、画像データを含む画像信号を表示部１５に出力する。
表示部１５は、例えば液晶ディスプレイ又は有機ＥＬディスプレイである。表示部１５は、画像信号出力部１４から入力される画像信号に基づく表示画像を表示する。
【００２１】
記憶部１６は、ＲＯＭ及びＲＡＭ等の記憶媒体である。記憶部１６は、制御部１７が実行するプログラムを記憶している。また、記憶部１６は、制御部１７が生成する各種のデータを一時的に記憶する。
【００２２】
制御部１７は、例えばＣＰＵであり、記憶部１６が記憶しているプログラムを実行することにより、操作受付部１７１、フォーカス制御部１７２、画像処理部１７３及び画像信号生成部１７４として動作する。
操作受付部１７１は、リモコンＩＦ部１３を介して入力されたユーザの操作を受け付ける。操作受付部１７１は、例えば、フォーカス位置を指定する操作データを受け付けて、受け付けた操作データをフォーカス制御部１７２に通知する。
【００２３】
フォーカス制御部１７２は、操作受付部１７１が受け付けた、フォーカス位置を指定する操作データに基づいてレンズ部１１の駆動手段を制御することにより、撮像装置１が使用するフォーカス位置を調整する。フォーカス制御部１７２は、調整後のフォーカス位置を示す使用フォーカスデータを画像信号生成部１７４に通知する。
【００２４】
画像処理部１７３は、撮像部１２が生成した撮像信号に基づいて画像データを生成し、生成した画像データに、色補正及びガンマ補正等の画像処理、並びに圧縮処理を施す。画像処理部１７３は、画像処理及び圧縮処理を施した後の画像データを画像信号生成部１７４に出力する。
【００２５】
画像信号生成部１７４は、フォーカス制御部１７２から入力された使用フォーカスデータと、画像処理部１７３から入力された画像データとを含む画像信号を生成する。具体的には、画像信号生成部１７４は、アンシラリデータ領域に使用フォーカスデータを含むＳＤＩ対応の画像信号を生成する。画像信号生成部１７４は、生成した画像信号を画像信号出力部１４及び表示部１５に出力する。
【００２６】
［表示装置２の構成］
図４は、表示装置２の構成を示す図である。表示装置２は、画像信号入力部２１と、操作部２２と、表示部２３と、記憶部２４と、制御部２５とを有する。制御部２５は、操作受付部２５１と、画像データ取得部２５２と、フォーカスデータ取得部２５３と、記憶制御部２５４と、画像表示部２５５とを有する。
【００２７】
画像信号入力部２１は、画像信号出力部１４が出力する画像信号の入力を受けるインターフェイスである。画像信号入力部２１は、入力された画像信号をデコードして、画像データ取得部２５２及びフォーカスデータ取得部２５３に出力する。
【００２８】
操作部２２は、ユーザが表示装置２にデータを設定するための操作に用いられる操作パネル、操作ボタン又はタッチパネル等の入力手段である。操作部２２は、ユーザの操作内容を示す操作データを操作受付部２５１に通知する。ユーザは、操作部２２を介して、目標フォーカスデータの記録の開始、再生の開始、及び再生の停止等の操作をすることができる。また、ユーザは、目標フォーカスデータの記録を開始した際に、操作部２２を介して、撮像装置１で使用するフォーカス位置の目標である目標フォーカスデータを設定することができる。
【００２９】
表示部２３は、画像表示部２５５から出力される画像データに基づく表示画像を表示する。表示部２３は、例えば、液晶ディスプレイ又は有機ＥＬディスプレイである。
【００３０】
記憶部２４は、ＲＯＭ及びＲＡＭ等の記憶媒体である。記憶部２４は、制御部２５が実行するプログラムを記憶している。また、記憶部２４は、制御部２５が出力する各種のデータを一時的に記憶する。例えば、記憶部２４は、ユーザが操作部２２を介して入力した目標フォーカスデータを記憶する。
【００３１】
制御部２５は、例えばＣＰＵであり、記憶部２４が記憶しているプログラムを実行することにより、操作受付部２５１、記憶制御部２５４、画像データ取得部２５２、フォーカスデータ取得部２５３及び画像表示部２５５として動作する。
【００３２】
操作受付部２５１は、操作部２２を介して、ユーザの操作内容を示す操作データを受け付ける。例えば、操作受付部２５１は、ユーザが入力した目標フォーカスデータの設定を開始するための操作データを受け付けると、記憶制御部２５４に対して、目標フォーカスデータの設定を開始する旨を通知する。その後、操作受付部２５１は、目標フォーカスデータを順次受け付けて、受け付けた目標フォーカスデータを記憶制御部２５４に出力する。また、操作受付部２５１は、図２に示したフォーカス調整用画像２０１を表示させる再生動作を開始又は終了するための操作、目標フォーカスデータを切り替えるための操作を受け付けると、これらの操作の内容を画像表示部２５５に通知する。
【００３３】
操作受付部２５１は、目標フォーカスデータとともに、基準時刻（例えば、フォーカス調整用画像２０１の再生動作を開始する時刻）からの経過時間を示すデータを受け付けてもよい。例えば、操作受付部２５１は、経過時間を示すデータを入力するための画面を表示部２３に表示させて、経過時間を示すデータの入力を受け付けた後に、目標フォーカスデータを入力するための画面を表示部２３に表示させることにより、経過時間に関連付けて、目標フォーカスデータの入力を受け付ける。
【００３４】
画像データ取得部２５２は、画像信号入力部２１から入力された画像信号に含まれている画像データを取得する。すなわち、画像データ取得部２５２は、フォーカスデータ取得部２５３が取得する使用フォーカスデータに対応するフォーカス位置を用いて撮像装置１が被写体を撮影することにより生成された画像データを取得する。画像データ取得部２５２は、取得した画像データを画像表示部２５５に出力する。
【００３５】
フォーカスデータ取得部２５３は、画像信号入力部２１から入力された画像信号に含まれている使用フォーカスデータを取得する。フォーカスデータ取得部２５３は、取得した使用フォーカスデータを画像表示部２５５に出力する。
【００３６】
記憶制御部２５４は、操作受付部２５１から入力された目標フォーカス位置を記憶部２４に記憶させる。記憶制御部２５４は、撮像装置１における画像の撮影において使用する順番に関連付けて、複数の目標フォーカスデータを記憶手段に記憶させる。
【００３７】
例えば、記憶制御部２５４は、目標フォーカスデータの設定を開始する旨の通知を操作受付部２５１から受けると、目標フォーカスデータのシリアル番号を１にリセットする。その後、記憶制御部２５４は、目標フォーカスデータを操作受付部２５１から受け取るたびに、シリアル番号に関連付けて目標フォーカスデータを記憶部２４に記憶させる。記憶制御部２５４は、目標フォーカスデータを記憶部２４に記憶させるたびに、シリアル番号を１ずつ加算する。
【００３８】
このようにすることで、記憶部２４には、図５（ａ）に示すような、シリアル番号と目標フォーカスデータとが関連付けられた目標フォーカス位置テーブルが生成される。なお、操作受付部２５１が、基準時刻からの経過時間を示すデータの入力を受け付ける場合、記憶制御部２５４は、図５（ｂ）に示すように、基準時刻からの経過時間と目標フォーカス位置とを関連付けて記憶部２４に記憶させてもよい。
【００３９】
画像表示部２５５は、操作受付部２５１から、目標フォーカスデータの再生を開始する旨の通知を受けると、フォーカスデータ取得部２５３から入力された使用フォーカスデータ及び記憶部２４に記憶されている目標フォーカスデータに基づいて、図２に示したフォーカス調整用画像２０１を生成し、生成したフォーカス調整用画像２０１を表示部２３に表示させる。画像表示部２５５は、画像データ取得部２５２から入力された画像データに、目標位置画像２０２及び使用位置画像２０３を含むフォーカス調整用画像２０１を重畳することにより、図２に示した画面に対応する表示画像データを生成する。
【００４０】
画像表示部２５５は、フォーカスデータ取得部２５３から新たな使用フォーカスデータを取得するたびに、フォーカス調整用画像２０１を更新する。このようにすることで、ユーザがフォーカス位置を変更したことに応じて、図２（ｂ）に示したように、フォーカス調整用画像２０１における使用位置画像２０３が移動するので、ユーザは、使用中のフォーカス位置をリアルタイムで把握することができる。
【００４１】
画像表示部２５５は、操作部２２を介して入力されたユーザによる目標変更操作に応じて、フォーカス調整用画像２０１に含まれる目標位置画像２０２を切り替えてもよい。例えば、画像表示部２５５は、シリアル番号１に対応する目標位置画像２０２を表示させた後に、操作受付部２５１が目標変更操作を受け付けると、シリアル番号１に対応する目標位置画像２０２を削除して、シリアル番号２に対応する目標位置画像２０２を含むフォーカス調整用画像２０１を生成する。
【００４２】
画像表示部２５５は、複数の目標フォーカス位置を、使用する順番を示す情報に関連付けて表示部２３に表示させてもよい。例えば、画像表示部２５５は、複数の目標位置画像２０２の夫々の近傍に、目標フォーカス位置に関連付けて記憶部２４に記憶されているシリアル番号を表示させる。
【００４３】
図６は、複数の目標位置画像２０２を含むフォーカス調整用画像２０１を示す図である。図６においては、図５に示した目標フォーカス位置テーブルに含まれている複数の目標フォーカス位置のうち、シリアル番号が１から３までの３つのフォーカス位置（８ｍ、３ｍ、６ｍ）に対応する目標位置画像２０２が表示されている。このように、画像表示部２５５は、目標フォーカス位置テーブルに含まれている複数の目標フォーカス位置のうち、予めユーザにより設定された個数の目標フォーカス位置を表示部２３に表示させてもよい。
【００４４】
図６における夫々の目標位置画像２０２の上部には、目標フォーカス位置が使用される順番を示す（１）、（２）、（３）の番号が表示されており、ユーザは、撮影中に、番号の順番にフォーカス位置を変更する必要があることを把握できる。したがって、ユーザは、例えば、１番目の目標フォーカス位置である８ｍにフォーカス位置を設定して撮影中に、次には３ｍにフォーカス位置を変更する必要があることを把握できるので、撮影する場面が切り替わるタイミングで迅速にフォーカス位置を変更することができる。
【００４５】
画像表示部２５５は、図７に示すように、目標位置画像２０２の近傍に、目標フォーカス位置を切り替える順番を示す矢印を表示させてもよい。このようにすることで、ユーザは、フォーカス位置を変更する向きを把握できる。画像表示部２５５は、リモコン３においてフォーカス位置を変更させる場合の操作の向きと同じ向きの矢印を表示させることで、操作性をさらに向上させることができる。
【００４６】
また、画像表示部２５５は、表示部２３に表示させた複数の目標フォーカスデータのうち、使用フォーカスデータから所定の範囲内になった目標フォーカスデータの表示を中止してもよい。例えば、画像表示部２５５は、表示部２３に表示させた複数の目標位置画像２０２のうち、使用位置画像２０３の位置から所定の範囲内になった時間が所定の時間以上にわたって継続した場合、フォーカス位置が合ったと考えられるので、目標位置画像２０２を消去する。画像表示部２５５は、目標位置画像２０２を消去すると同時に、又は目標位置画像２０２を消去した後に、次の順番の目標位置画像２０２を表示部２３に表示させてもよい。このようにすることで、画像表示部２５５が複数の目標位置画像２０２を表示する場合に、ユーザは、不要な目標位置画像２０２を見ないで済むので、操作性がさらに向上する。
【００４７】
［表示装置２における処理の手順］
図８は、表示装置２における処理の手順を示すフローチャートである。ユーザが、フォーカス調整用画像２０１を表示装置２に表示させた状態で撮影を開始する前に、操作受付部２５１は、目標フォーカスデータの入力を受け付ける。具体的には、操作受付部２５１は、目標フォーカスデータが入力されたか否かを監視し（Ｓ１１）、目標フォーカスデータが入力された場合（Ｓ１１においてＹｅｓ）、入力された目標フォーカスデータを取得する（Ｓ１２）。操作受付部２５１は、順次、入力された目標フォーカスデータを記憶部２４に記憶させる（Ｓ１３）。
【００４８】
操作受付部２５１は、フォーカス調整用画像２０１を表示させる再生動作を開始する操作が行われたか否かを監視し（Ｓ１４）、再生動作を開始する操作が行われていない間（Ｓ１４においてＮｏ）、Ｓ１１からＳ１３までの処理を繰り返す。操作受付部２５１は、Ｓ１４において、再生動作を開始する操作が行われたと判定した場合（Ｓ１４においてＹｅｓ）、再生動作を開始する旨を画像表示部２５５に通知する。画像表示部２５５は、再生動作を開始する旨の通知を受けると、記憶部２４に記憶された目標フォーカスデータを読み出して、読み出した目標フォーカスデータに対応する目標位置画像２０２を含むフォーカス調整用画像２０１を表示部２３に表示させる（Ｓ１５）。
【００４９】
その後、画像表示部２５５は、画像信号入力部２１が受信した画像信号に使用フォーカスデータが重畳されており、フォーカスデータ取得部２５３が、使用フォーカスデータを取得したか否かを監視する（Ｓ１６）。画像表示部２５５は、フォーカスデータ取得部２５３が使用フォーカスデータを取得した場合（Ｓ１６においてＹｅｓ）、表示部２３に表示中のフォーカス調整用画像２０１を、取得した使用フォーカスデータに対応する使用位置画像２０３を含むフォーカス調整用画像２０１に更新する（Ｓ１７）。画像表示部２５５は、Ｓ１６においてフォーカスデータ取得部２５３が使用フォーカスデータを取得していない場合（Ｓ１６においてＮｏ）、Ｓ１８に進む。
【００５０】
続いて、画像表示部２５５は、次の目標フォーカスデータに切り替える必要があるかどうかを確認する（Ｓ１８）。画像表示部２５５は、例えば、次の目標フォーカスデータに切り替える操作を受け付けたことの通知を操作受付部２５１から受けた場合（Ｓ１８においてＹｅｓ）、Ｓ１９に進んで、次の目標フォーカスデータを表示部２３に表示させる（Ｓ１９）。画像表示部２５５は、Ｓ１８において、次の目標フォーカスデータに切り替える操作を受け付けたことの通知を操作受付部２５１から受けていない場合（Ｓ１８においてＮｏ）、Ｓ２０に進む。
【００５１】
なお、画像表示部２５５は、目標フォーカスデータに関連付けて、基準時刻からの経過時間が記憶部２４に記憶されている場合、Ｓ１８において、表示部２３への目標位置画像２０２の表示を開始してからの経過時間が、記憶部２４が記憶している経過時間に一致している場合に、Ｓ１９に進んで、当該経過時間に関連付けられた目標フォーカス位置に対応する目標位置画像２０２を表示部２３に表示させてもよい。
【００５２】
画像表示部２５５は、再生動作を終了するための操作を受け付けたことの通知を操作受付部２５１から受けた場合（Ｓ２０においてＹｅｓ）、再生動作を終了する。画像表示部２５５は、再生動作を終了するための操作を受け付けたことの通知を操作受付部２５１から受けていない場合（Ｓ２０においてＮｏ）、Ｓ１６に戻って、使用フォーカスデータが更新されるたびに、フォーカス調整用画像２０１を更新する。
【００５３】
［第１の実施形態における効果］
以上説明したように、第１の実施形態に係る撮影システムＳにおいては、記憶制御部２５４が、ユーザにより入力された、撮像装置１における撮影時に使用するフォーカス位置の目標である目標フォーカス位置を記憶部２４に記憶させる。そして、撮像装置１を用いて撮影する際に、画像表示部２５５が、目標フォーカス位置を記憶部２４から読み出して、撮像装置１から取得した撮影に用いられている使用フォーカス位置を示す使用位置画像２０３と、目標フォーカス位置を示す目標位置画像２０２とを含むフォーカス調整用画像２０１を表示部２３に表示させる。このようにすることで、ユーザは、予めリハーサル時に測定しておいた被写体までの距離に基づいて設定した目標フォーカス位置に、撮像装置１のフォーカス位置を容易に合わせることができるようになる。
【００５４】
なお、上記の説明において、ユーザが、再生動作を開始する前に目標フォーカスデータを入力する例について説明したが、目標フォーカスデータを入力するタイミングは任意である。例えば、画像表示部２５５がフォーカス調整用画像２０１を表示している間に、操作受付部２５１が目標フォーカスデータの入力を受け付けてもよい。この場合、記憶制御部２５４は、入力された目標フォーカスデータを、記憶部２４に記憶された目標フォーカス位置テーブルに追加してもよく、ユーザにより指定された目標フォーカスデータを更新してもよい。
【００５５】
＜第２の実施形態＞
第１の実施形態に係る表示装置２は、ユーザが、使用フォーカス位置を目標フォーカス位置に合わせても、表示部２３に表示する画像の大きさを変化させなかった。これに対して、第２の実施形態に係る表示装置２は、使用フォーカス位置が目標フォーカス位置から所定の範囲に入った場合に、表示部２３に表示する画像を拡大するという点で、第１の実施形態に係る表示装置２と異なる。第２の実施形態に係る表示装置２は、使用フォーカス位置が目標フォーカス位置の付近になった状態で、ユーザがフォーカス位置の微調整をしたい場合に好適である。なお、上記の所定の範囲は、例えば、操作部２２を介してユーザにより設定される。
【００５６】
図９は、第２の実施形態に係る表示装置２が表示する画面の例を示す図である。図９（ａ）は、使用フォーカス位置が目標フォーカス位置から、所定の範囲（図９（ａ）においては、目標フォーカス位置±０．５ｍ）に入っていない状態における画面を示している。図９（ａ）における破線で囲まれた領域は、予め設定された、画像において拡大する対象の領域（以下、「拡大領域」という）である。
【００５７】
図９（ｂ）は、使用フォーカス位置が目標フォーカス位置から所定の範囲に入っている状態における画面を示している。このように、第２の実施形態に係る画像表示部２５５は、使用フォーカス位置が、目標フォーカス位置に対する所定の範囲に含まれている場合に、表示画像を拡大して表示部２３に表示させる。図９（ｂ）に示すように、画像表示部２５５は、拡大した画像とともに、表示画像の全体を縮小した画像を表示する。
【００５８】
記憶制御部２５４は、操作部２２におけるユーザの操作内容に基づいて、目標フォーカス位置に関連付けて、拡大領域を特定するための情報を記憶部２４に記憶させてもよい。また、記憶制御部２５４は、基準時刻からの経過時間に関連付けて、画像において拡大領域を特定するための情報を記憶部２４に記憶させてもよい。
【００５９】
図１０は、記憶部２４に記憶されている目標フォーカス位置テーブルを示す図である。図１０に示す目標フォーカス位置テーブルにおいては、目標フォーカス位置の順番と、基準時刻からの経過時間と、目標フォーカス位置と、拡大表示する領域の四隅の座標とが関連付けられている。２番目の目標フォーカス位置に対しては、拡大表示する領域の四隅の座標が設定されていない。このような場合、画像表示部２５５は、使用フォーカス位置が２番目の目標フォーカス位置から所定の範囲内になったとしても、表示部２３に表示する画像を拡大しない。
【００６０】
図１１は、第２の実施形態における処理の手順を示すフローチャートである。図１１においては、図８のフローチャートにおけるＳ１４の処理から示している。図１１におけるＳ２１からＳ２３、及びＳ２７からＳ２９は、それぞれ図８におけるＳ１４からＳ１６、及びＳ１８からＳ２０に対応するので、説明を省略する。
【００６１】
画像表示部２５５は、Ｓ２３において使用フォーカスデータを取得すると、使用フォーカスデータが示す使用フォーカス位置が、目標フォーカス位置に対して所定の範囲内であるか否かを判定する（Ｓ２４）。画像表示部２５５は、使用フォーカス位置が、目標フォーカス位置に対して所定の範囲内である場合（Ｓ２４においてＹｅｓ）、画像データ取得部２５２から入力された画像データを拡大して表示部２３に表示させる（Ｓ２５）。具体的には、画像表示部２５５は、目標フォーカス位置に関連付けて記憶部２４に記憶された拡大領域の画像を拡大して表示させる。画像表示部２５５は、使用フォーカス位置が、目標フォーカス位置に対して所定の範囲内でない場合（Ｓ２４においてＮｏ）、画像データ取得部２５２から入力された画像データを拡大しないで、通常の大きさで表示部２３に表示する（Ｓ２６）。
【００６２】
なお、画像表示部２５５は、Ｓ２５において、使用フォーカス位置が、目標フォーカス位置に対する所定の範囲に含まれる状態になった時点における経過時間に対応する領域の表示画像を拡大して表示させてもよい。例えば、記憶部２４が、夫々の目標フォーカス位置に関連付けて、複数の経過時間に対応する複数の拡大領域の座標を記憶しておき、画像表示部２５５は、使用フォーカス位置が目標フォーカス位置に対する所定の範囲に含まれている間、経過時間に応じて画像を拡大する領域を変化させる。このようにすることで、目標フォーカス位置が変化しない間に被写体の位置が変化する場合に、画像表示部２５５は、被写体の周辺の画像を拡大して表示部２３に表示させることができるので、ユーザは、拡大表示された被写体を見ながら使用フォーカス位置を微調整しやすくなる。
【００６３】
［第２の実施形態における効果］
以上説明したように、第２の実施形態に係る撮影システムＳにおいては、使用フォーカス位置が目標フォーカス位置から所定の範囲に入った場合に、画像表示部２５５が、表示部２３に表示する画像を拡大する。このようにすることで、ユーザは、使用フォーカス位置が目標フォーカス位置に近づくと、拡大表示をするための操作をすることなく、拡大表示された被写体を見ながら使用フォーカス位置を微調整することができる。したがって、ユーザは、複雑な操作をすることなく、フォーカス位置の調整精度を向上させることができる。
【００６４】
＜第３の実施形態＞
第１の実施形態及び第２の実施形態においては、表示装置２が、目標フォーカス位置及び使用フォーカス位置を表示した。これに対して、第３の実施形態においては、撮像装置１が、目標フォーカス位置及び使用フォーカス位置を表示部１５に表示する点で、第１の実施形態及び第２の実施形態と異なる。
【００６５】
図１２は、第３の実施形態に係る撮像装置１の構成を示す図である。図１２に示した撮像装置１は、記憶制御部１７５を有する点で、図３に示した撮像装置１と異なる。また、画像信号生成部１７４が、画像データに基づく画像を表示部１５に表示させるだけでなく、画像データに基づく画像に重畳させて、目標フォーカス位置を示す目標位置画像２０２及び使用フォーカス位置を示す使用位置画像２０３を含むフォーカス調整用画像２０１を表示部１５に表示させる点で、図３に示した撮像装置１と異なる。
【００６６】
記憶制御部１７５は、第１の実施形態及び第２の実施形態に係る記憶制御部２５４と同等の機能を有している。例えば、記憶制御部１７５は、リモコンＩＦ部１３を介してユーザが入力した目標フォーカスデータを記憶部１６に記憶させる。記憶部１６は、図５又は図１０に示したような目標フォーカス位置テーブルを記憶している。画像信号生成部１７４は、第１の実施形態及び第２の実施形態に係る画像表示部２５５と同様に、記憶部１６が記憶している目標フォーカス位置を順次読み出して、フォーカス制御部１７２から入力される使用フォーカスデータに基づく使用位置画像２０３とともに、目標位置画像２０２を表示部１５に表示させる。
【００６７】
［第３の実施形態における効果］
以上説明したように、第３の実施形態に係る撮像装置１は、ユーザにより入力された目標フォーカス位置を、撮影中に使用されているフォーカス位置とともに表示することができる。したがって、撮像装置１に表示装置２を接続することなく、ユーザは、予めリハーサル時に測定しておいた被写体までの距離に基づいて設定しておいた目標フォーカス位置に、撮像装置１のフォーカス位置を容易に合わせることができるようになる。
【００６８】
以上、本発明を実施の形態を用いて説明したが、本発明の技術的範囲は上記実施の形態に記載の範囲には限定されず、その要旨の範囲内で種々の変形及び変更が可能である。
【符号の説明】
【００６９】
２３・・・表示部
２４・・・記憶部
２５２・・・画像データ取得部
２５３・・・フォーカスデータ取得部
２５４・・・記憶制御部
２５５・・・画像表示部
【図１】
2016206250.tif 000003
【図２】
2016206250.tif 000004
【図３】
2016206250.tif 000005
【図４】
2016206250.tif 000006
【図５】
2016206250.tif 000007
【図６】
2016206250.tif 000008
【図７】
2016206250.tif 000009
【図８】
2016206250.tif 000010
【図９】
2016206250.tif 000011
【図１０】
2016206250.tif 000012
【図１１】
2016206250.tif 000013
【図１２】
2016206250.tif 000014